(57)【特許請求の範囲】
【請求項１】
接続対象とされる複数の機器のうち、映像出力機器でのディジタルからアナログへの変換に要する処理時間と、音声出力機器でのディジタルからアナログへの変換に要する処理時間とを検出する処理時間検出手段と、
上記複数の機器のうち、対象とすべき映像出力機器と、音声出力機器とを個別に選択させる選択手段と
を有し、
上記選択手段は、
対象とすべき映像出力機器又は音声出力機器の一方が選択され、他方の音声出力機器又は映像出力機器を選択させる場合、上記処理時間検出手段での検出結果に基づいて、選択された一方の機器との同期出力が可能となる機器を選択候補として提示する、機器選択装置。
【請求項２】
上記複数の機器のうち、デコーダを有する機器と、該デコーダが対応する信号フォーマットとを検出するデコーダ検出手段
をさらに有し、
上記選択手段は、
デコーダを選択させる場合、上記デコーダ検出手段での検出結果に基づいて、信号フォーマット別に、デコーダとそのデコーダを有する機器とを提示する、請求項１に記載の機器選択装置。
【請求項３】
接続対象とされる複数の機器のうち、映像出力機器でのディジタルからアナログへの変換に要する処理時間と、音声出力機器でのディジタルからアナログへの変換に要する処理時間とを検出する処理時間検出ステップと、
上記複数の機器のうち、対象とすべき映像出力機器と、音声出力機器とを個別に選択させる選択ステップと
を有し、
上記選択ステップでは、
対象とすべき映像出力機器又は音声出力機器の一方が選択され、他方の音声出力機器又は映像出力機器を選択させる場合、上記処理時間検出手段での検出結果に基づいて、選択された一方の機器との同期出力が可能となる機器を選択候補として提示する、機器選択方法。
【請求項４】
上記複数の機器のうち、デコーダを有する機器と、該デコーダが対応する信号フォーマットとを検出するデコーダ検出ステップ
をさらに有し、
上記選択ステップでは、
デコーダを選択させる場合、上記デコーダ検出手段での検出結果に基づいて、信号フォーマット別に、デコーダとそのデコーダを有する機器とを提示する、請求項３に記載の機器選択方法。
【発明の詳細な説明】
【０００１】
【発明の属する技術分野】
本発明は機器選択装置、機器選択方法に関し、例えばテレビジョン装置にＩＥＥＥ１３９４を介して接続された複数のＡＶ機器の出力経路を選択する機器選択装置、機器選択方法に適用して好適なものである。
【０００２】
【従来の技術】
従来、米国電気電子技術者協会で標準化作業中のＩＥＥＥ（Institute of Electrical and Electronics Engineers ）１３９４インターフェイスは、例えば映像データや音声データ等のディジタル情報と、制御信号等のコントロール信号との複数のデータを同時に送受信する特性がある。
【０００３】
かかる特性を利用し、例えばディジタルテレビジョン装置（以下、これを単にテレビジョン装置と呼ぶ）にＩＥＥＥ１３９４インターフェイスを経由して外部機器としてビデオテープレコーダやＤＶＤプレーヤが接続された映像音声選択システムが提案されている。
【０００４】
この映像音声選択システムにおいて、テレビジョン装置は、ビデオテープレコーダ又はＤＶＤプレーヤから供給される映像データをＩＥＥＥ１３９４インターフェイスを介して内部に設置されるデコーダでアナログ信号に変換する所定の変換処理（以下、アナログ変換処理と呼ぶ）を施すことにより得た映像信号に基づいて表示部に映像を表示する。またテレビジョン装置は、内部のデコーダで映像データに対してアナログ変換処理をし得ない場合に限り、任意の外部機器内のデコーダに出力経路を切り換えるようになされている。
【０００５】
このことは、ディジタル信号（映像データ）に基づいて得た映像の画質がアナログ信号（映像信号）に基づいて得た映像の画質よりもよいという普遍的な考えから、テレビジョン装置は、優先してディジタル信号（映像データ）に基づいて得た映像を表示部に表示するように設定されている。
【０００６】
【発明が解決しようとする課題】
ところがかかるデコーダにおいては、性能に応じて表示部に表示される画像が大きく劣化する。
【０００７】
すなわち、例えばビデオテープレコーダのデコーダにおいて、ポスト処理なされてアナログ変換処理し得る場合、映像音声選択システムにおいては、ビデオテープレコーダから供給されるディジタル信号（映像データ）をテレビジョン装置内のデコーダでアナログ変換処理する経路よりも、むしろビデオテープレコーダでアナログ変換処理して得たアナログ信号（映像信号）をテレビジョン装置に出力する経路ほうが映像の画質が良い。しかし、テレビジョン装置は、どの経路で入力すればより良い画質で映像を表示するかを選択し得ないという問題があった。
【０００８】
またテレビジョン装置は、ＩＥＥＥ１３９４インターフェイスを経由して複数の外部機器が接続されている程、入力する経路が多くなる。しかし、テレビジョン装置は、入力する複数の経路を選択し得ないという問題があった。
【０００９】
さらにテレビジョン装置は、映像信号及び音声信号をビデオテープレコーダに接続しているとき、例えばＤＶＤプレーヤを制御できない。すなわち、テレビジョン装置は、信号を接続する機器と制御する機器とを別々にコントロールし得ないという問題があった。このような問題を解決することにより、ユーザは利便性が向上すると考えられる。
【００１０】
本発明は以上の点を考慮してなされたもので、複数の外部機器を接続した場合、テレビジョン装置に入力する経路を選択し得、信号を接続する機器と制御する機器とを別々にコントロールし得る使い勝手の優れた機器選択装置、機器選択方法を提案しようとするものである。
【００１１】
【課題を解決するための手段】
かかる課題を解決するため本発明は、機器選択装置であって、接続対象とされる複数の機器のうち、映像出力機器でのディジタルからアナログへの変換に要する処理時間と、音声出力機器でのディジタルからアナログへの変換に要する処理時間とを検出する処理時間検出手段と複数の機器のうち、対象とすべき映像出力機器と、音声出力機器とを個別に選択させる選択手段とを有する。この選択手段は、対象とすべき映像出力機器又は音声出力機器の一方が選択され、他方の音声出力機器又は映像出力機器を選択させる場合、処理時間検出手段での検出結果に基づいて、選択された一方の機器との同期出力が可能となる機器を選択候補として提示する。
また本発明は、機器選択方法であって、接続対象とされる複数の機器のうち、映像出力機器でのディジタルからアナログへの変換に要する処理時間と、音声出力機器でのディジタルからアナログへの変換に要する処理時間とを検出する処理時間検出ステップと、複数の機器のうち、対象とすべき映像出力機器と、音声出力機器とを個別に選択させる選択ステップとを有する。この選択ステップでは、対象とすべき映像出力機器又は音声出力機器の一方が選択され、他方の音声出力機器又は映像出力機器を選択させる場合、処理時間検出手段での検出結果に基づいて、選択された一方の機器との同期出力が可能となる機器を選択候補として提示する。
【００１２】
【発明の実施の形態】
以下図面について、本発明の一実施の形態を詳述する。
【００１３】
（１）映像音声選択システムの全体構成
図１において１０は全体として映像音声選択システムの全体構成を示し、各視聴者宅に設置されている機器選択装置としてのディジタルテレビジョン装置１（以下、これを単にテレビジョン装置と呼ぶ）に対してＩＥＥＥ（Institute of Electrical and Electronics Engineers ）１３９４インターフェイスを経由して複数の外部機器が接続された構成を有する。
【００１４】
この外部機器としては、受信機（以下、これをＤＳＳ−ＩＲＤ(Digital Satellite System-Integrated Receiver Decoder)と呼ぶ）２と、オーディオビジュアル分野での利用を目的としたＤＶＤ（Digital Versatile Disk）規格であるＤＶＤプレイヤ３と、ディジタルビデオカメラレコーダ（以下、これをＤＶと呼ぶ）４と、スピーカが内蔵されるＡＶアンプ５と、ディジタルビデオテープレコーダ（以下、これをＤ−ＶＨＳと呼ぶ）６とで構成される。
【００１５】
またテレビジョン装置１には、アナログインターフェイスを介して各外部機器（ＤＳＳ−ＩＲＤ２とＤＶＤプレイヤ３とＤＶ４とＡＶアンプ５とＤ−ＶＨＳ６）が接続された構成を有する。
【００１６】
テレビジョン装置１は、入力手段であるリモートコマンダ８のキー操作による操作信号Ｓ３を受けることにより、ＩＥＥＥ１３９４インターフェイスの使用を前提として外部機器をコントロールする制御信号を各外部機器に出力する。これによりテレビジョン装置１は、各外部機器を制御することにより、テレビジョン装置にＭＰＥＧ(Moving Picture Experts Group)等の符号化方式で符号化した映像音声符号化データ又はアナログ信号でなる映像音声信号を種々の経路で入力させるようになされている。
【００１７】
因みにこのＩＥＥＥ１３９４インターフェイスは、米国電気電子技術者協会で標準化作業中であり、ディジタル信号及びコントロール信号などの複数の信号を同時に送受信する特性がある。また、ＩＥＥＥ１３９４インターフェイスは、１００Ｍｂｐｓ、２００Ｍｂｐｓ、４００Ｍｂｐｓの３種の転送速度を規定しており、リアルタイムに転送レートを保証し得る特性がある。
【００１８】
（２）各外部機器の構成
（２−１）ディジタルビデオテープレコーダの構成
図２はＤ−ＶＨＳ６の構成を示し、テレビジョン装置１からの制御信号Ｄ４を処理回路２１内部のＩＥＥＥ１３９４インターフェイス２２を介して受信すると、当該受信した制御信号Ｄ４に基づいて各回路部を制御する。これにより制御部２０は、入力される映像音声符号化データ又は映像音声信号をテープ記録再生部２４に記録する記録処理を実行すると共に、記録されている映像音声符号化データをテレビジョン装置１若しくは各外部機器に出力させると共に、映像音声信号をテレビジョン装置１に出力させる再生処理を実行するようになされている。
【００１９】
この場合制御部２０は、記録処理において、例えばＡＶアンプ５からＩＥＥＥ１３９４インターフェイス２２を介して映像音声符号化データＤ４０が供給された場合、これをディジタル記録処理部２３、記録用スイッチ２９ａを順次介してテープ記録再生部２４に出力する。テープ記録再生部２４は、映像音声符号化データＤ４０を記録する。
【００２０】
これに対して制御部２０は、記録処理において、外部からアナログインターフェイス２６を介して映像音声信号Ｓ３０が供給された場合、これをアナログ記録処理部２７、記録用スイッチ２９ａを順次介してテープ記録再生部２４に出力する。テープ記録再生部２４は、映像音声信号Ｓ３０を記録する。
【００２１】
また、制御部２０は、再生処理において、記録されている映像音声符号化データＤ５０又は映像音声信号Ｓ５０を、テープ記録再生部２４から再生用スイッチ２９ｂを介してディジタル再生処理部２５若しくはアナログ再生処理部２８に出力する。
【００２２】
ディジタル再生処理部２５は、テープ記録再生部２４から供給された映像音声符号化データＤ５０をＩＥＥＥ１３９４インターフェイス２２を介してテレビジョン装置１若しくは各外部機器に出力する。
【００２３】
一方、アナログ再生処理部２８は、テープ記録再生部２４から供給された映像音声信号Ｓ５０をアナログインターフェイス２６を介してテレビジョン装置１に出力する。
【００２４】
（２−２）ＤＳＳ−ＩＲＤの構成
図３はＤＳＳ−ＩＲＤ２の構成を示し、テレビジョン装置１からの制御信号Ｄ４をＩＥＥＥ１３９４インターフェイス３１を介して受信すると、当該受信した制御信号Ｄ４に基づいてバスＢＵＳに接続されている各回路部を制御する。これにより制御部３０は、入力される映像音声符号化データを受信し、これをテレビジョン装置１若しくは各外部機器に出力すると共に、映像音声信号をテレビジョン装置１に出力するようになされている。
【００２５】
この場合制御部３０は、アンテナ（図示せず）からフロントエンド３２を介して映像音声符号化データＤ７０を受信した場合、これをデマルチプレクサ３３に出力する。デマルチプレクサ３３は、映像音声符号化データＤ７０を分配することにより、映像符号化データＤ７２並びに音声符号化データＤ７３を生成する。そしてデマルチプレクサ３３は、生成した映像符号化データＤ７２並びに音声符号化データＤ７３をデコーダ３４若しくは、ＩＥＥＥ１３９４インターフェイスを介してテレビジョン装置１若しくは各外部機器に出力する。
【００２６】
デコーダ３４は、デマルチプレクサ３３から供給された映像符号化データＤ７２並びに音声符号化データＤ７３をアナログ信号に変換する所定の変換処理を施すことにより、映像音声信号Ｓ４０を生成し、これをアナログインターフェイス３５を介してテレビジョン装置１に出力する。
【００２７】
これに対して制御部３０は、例えばＤＶＤプレーヤ３からＩＥＥＥ１３９４インターフェイス３１を介して映像音声符号化データＤ２０を受信した場合、これをデマルチプレクサ３３に出力する。デマルチプレクサ３３は、映像音声符号化データＤ２０を分配することにより、映像符号化データＤ２２並びに音声符号化データＤ２３を生成する。そしてデマルチプレクサ３３は、生成した映像符号化データＤ２２並びに音声符号化データＤ２３をＩＥＥＥ１３９４インターフェイス３１若しくはデコーダ３４に出力する。
【００２８】
デコーダ３４は、デマルチプレクサ３３から供給された映像符号化データＤ２２並びに音声符号化データＤ２３をアナログ信号に変換する所定の処理を施すことにより、映像音声信号Ｓ１０を生成し、これをアナログインターフェイス３５を介してテレビジョン装置１に出力する。
【００２９】
（２−３）ＤＶＤプレーヤの構成
図４はＤＶＤプレーヤ３の構成を示し、テレビジョン装置１からの制御信号Ｄ４をＩＥＥＥ１３９４インターフェイス４６を介して受信すると、当該受信した制御信号Ｄ４に基づいてバスＢＵＳに接続されている各回路部を制御する。これにより制御部４０は、光ディスク４１に記憶されている映像音声符号化データをテレビジョン装置１若しくは各外部機器に出力すると共に、映像音声信号をテレビジョン装置１に出力するようになされている。
【００３０】
この場合、ＤＶＤプレーヤ３の読み取り処理部４２は、光ディスク４１に記憶されている映像音声符号化データＤ８０を読み出し、当該読み出した映像音声符号化データＤ８０をデマルチプレクサ４３に出力する。デマルチプレクサ４３は、映像音声符号化データＤ８０を分配することにより、映像符号化データＤ８２並びに音声符号化データＤ８３を生成し、これらをデコーダ４４に出力する。
【００３１】
デコーダ４４は、映像符号化データＤ８２並びに音声符号化データＤ８３をアナログ信号に変換する所定の変換処理を施すことにより、映像音声信号Ｓ２０を生成する。そしてデコーダ４４は、生成した映像音声信号Ｓ２０を再エンコード再多重化部４５若しくはアナログインターフェイス４７を介してテレビジョン装置１に出力する。
【００３２】
再エンコード再多重化部４５は、デコーダ４４から供給された映像音声信号Ｓ２０を所望の圧縮率で圧縮符号化し、その結果得た映像符号化データと音声符号化データとを多重化処理することにより映像音声符号化データＤ２０を生成し、これをＩＥＥＥ１３９４インターフェイス４６を介してテレビジョン装置１若しくは各外部機器に出力する。
【００３３】
（２−４）ディジタルビデオカメラレコーダの構成
図５はＤＶ４の構成を示し、テレビジョン装置１からの制御信号Ｄ４をＩＥＥＥ１３９４インターフェイス５１を介して受信すると、当該受信した制御信号Ｄ４に基づいてバスＢＵＳに接続されている各回路部を制御する。これにより制御部５０は、入力される映像音声符号化データ又は映像音声信号をテープ記録処理部５２に記録させる記録処理を実行すると共に、テープ再生処理部５３から映像音声符号化データをテレビジョン装置１若しくは各外部機器に出力させると共に、映像音声信号をテレビジョン装置１に出力させる再生処理を実行するようになされている。
【００３４】
この場合制御部５０は、記録処理において、外部からＩＥＥＥ１３９４インターフェイス５１を介して映像音声符号化データＤ２０が供給された場合、これを記録用スイッチ５９を介してテープ記録処理部５２に出力する。テープ記録処理部５２は、映像音声符号化データＤ２０を記録する。
【００３５】
一方、制御部５０は、記録処理において、外部からアナログインターフェイス５７を介して映像音声信号Ｓ９０が供給された場合、これをエンコーダ多重化部５８に出力する。エンコーダ多重化部５８は、映像音声信号Ｓ９０をディジタル信号に変換する所定の処理を施すことにより、映像音声符号化データＤ９０を生成し、これを記録用スイッチ５９を介してテープ記録処理部５２に出力する。テープ再生処理部５２は、映像音声符号化データＤ９０を記録する。
【００３６】
また、制御部５０は、再生処理において、記録されている映像音声符号化データＤ３０をテープ再生処理部５３からデマルチプレクサ５４若しくはＩＥＥＥ１３９４インターフェイス５１に出力する。
【００３７】
ＩＥＥＥ１３９４インターフェイス５１に出力する場合、ディジタル再生処理部５３は、記録されている映像音声符号化データＤ３０をＩＥＥＥ１３９４インターフェイス５１介してテレビジョン装置１若しくは各外部機器に出力する。
【００３８】
一方、デマルチプレクサ５４に出力する場合、ディジタル再生処理部５３は、記録されている映像音声符号化データＤ３０を分配することにより、映像符号化データＤ３２並びに音声符号化データＤ３３を生成し、これらをデコーダ５５に出力する。
【００３９】
デコーダ５５は、映像符号化データＤ３２並びに音声符号化データＤ３３をアナログ信号に変換する所定の処理を施すことにより、映像音声信号Ｓ３０を生成し、これをアナログインターフェイス５６を介してテレビジョン装置１に出力する。
【００４０】
（２−５）ＡＶアンプの構成
図６はＡＶアンプ５の構成を示し、入力される映像音声符号化データを受信し、映像符号化データ、音声符号化データ、映像信号、音声信号をそれぞれテレビジョン装置１又は各外部機器に出力するようになされている。
【００４１】
この場合デマルチプレクサ６１は、ＩＥＥＥ１３９４インターフェイス６０を介して例えばＤＶ４から供給される映像音声符号化データＤ３０を分配することにより、映像符号化データＤ３２並びに音声符号化データＤ３３を生成する。そしてデマルチプレクサ６１は、生成した映像符号化データＤ３２をビデオデコーダ６３に出力すると共に、音声符号化データＤ３３をオーディオデコーダ６２に出力する。
【００４２】
ビデオデコーダ６３は、デマルチプレクサ６１から供給された映像符号化データＤ３２をアナログ信号に変換する所定の変換処理を施すことにより、映像信号Ｓ６０ａを生成する。そしてビデオデコーダ６３は、生成した映像信号Ｓ６０ａをＩＥＥ１３９４インターフェイス６０を介して供給される制御信号Ｄ４に基づいてビデオエンコーダ６５若しくはアナログビデオインターフェイス６７を介してテレビジョン装置１に出力する。
【００４３】
ビデオエンコーダ６５は、ビデオデコーダ６３から供給された映像信号Ｓ６０ａをディジタル信号に変換する所定の変換処理を施すことにより、映像符号化データＤ６２を生成し、これをマルチプレクサ６８に出力する。
【００４４】
一方、オーディオデコーダ６２は、デマルチプレクサ６１から供給された音声符号化データＤ３３をアナログ信号に変換する所定の変換処理を施すことにより、音声信号Ｓ６０ｂを生成する。そしてオーディオデコーダ６２は、生成した音声信号Ｓ６０ｂをオーディオエンコーダ６４若しくは、アナログオーディオインターフェイス６６を介してテレビジョン装置１に出力する。
【００４５】
オーディオエンコーダ６４は、オーディオデコーダ６２から供給された音声信号Ｓ６０ｂをディジタル信号に変換する所定の変換処理を施すことにより、音声符号化データＤ６３を生成し、これをマルチプレクサ６８に出力する。
【００４６】
また、マルチプレクサ６８は、ビデオエンコーダ６５から供給された音声符号化データＤ６２と、オーディオエンコーダ６４から供給された音声符号化データＤ６３とを多重化処理することにより、映像音声符号化データＤ６０を生成し、これをテレビジョン装置１若しくは各外部機器に出力する。
【００４７】
（３）ディジタルテレビジョン装置の構成
図７はテレビジョン装置１の構成を示し、データバスＢＵＳに制御部７０及び各回路部が接続された構成を有する。この制御部７０内には、データバスＢＵＳに中央処理ユニット（以下、これをＣＰＵ:Central Processing Unit）及びＲＡＭ（Random Access Memory）及びＲＯＭ（Read Only Memory）及び電気的に内容を消去できるＥＥＰＲＯＭ（Electrically Erasable PROM）の一種であるフラッシュメモリが接続された構成を有する。
【００４８】
テレビジョン装置１は、フロントエンド７２を介してアンテナ（図示せず）から供給された映像音声符号化データＤ１００をデマルチプレクサ７４に出力する。デマルチプレクサ７４は、映像音声符号化データＤ１００を分配することにより、映像符号化データＤ１０２並びに音声符号化データＤ１０３を生成し、これらをデコーダ７５に出力する。
【００４９】
デコーダ７５は、映像符号化データＤ１０２並びに音声符号化データＤ１０３をアナログ信号に変換する所定の変換処理を施すことにより、映像信号Ｓ１００ａ及び音声信号Ｓ１００ｂを生成し、これらを切り換え部７６に出力する。切り換え部７６は、映像信号Ｓ１００ａを出力手段である表示部７８に出力すると共に、音声信号Ｓ１００ｂをスピーカ７９に出力する。
【００５０】
表示部７８は、切り換え部７６から供給された映像信号Ｓ１００ａに基づいて得た映像を表示すると共に、スピーカ７９は、切り換え部７６から供給された音声信号Ｓ１００ｂに基づいて得た音声を出力する。
【００５１】
ここで、テレビジョン装置１のアナログインターフェイス７１には、各外部機器のアナログインターフェイスから出力される各映像音声信号（Ｓ１０〜Ｓ６０）を入力するための各アナログ入力端子（図示せず）が設けられている。ユーザは、各外部機器からケーブルを介していずれかのアナログ入力端子に接続したとき、どのアナログ入力端子に接続したかを示す入力ラインをリモートコマンダ８のキー操作を介してフラッシュメモリに登録するようになされている。これにより、制御部７０は、各外部機器から出力される映像音声信号Ｓ１がどのアナログ入力端子に接続されているかを予め把握することができる。
【００５２】
また、制御部７０は、フラッシュメモリのメモリマップで指定される領域に識別手段及び管理手段としての能力情報Ｄ５を記憶しており、テレビジョン装置１に外部機器を新たに接続されたとき、又はテレビジョン装置１から離脱されたときに常時能力情報Ｄ５を更新する能力情報作成処理を実行する。
【００５３】
この能力情報Ｄ５とは、テレビジョン装置１にＩＥＥＥ１３９４インターフェイスを経由して接続されている外部機器が何であるかを示すと共に、テレビジョン装置１に接続されている外部機器がどのような信号形式を入力又は出力し得るかを示すと共に、アナログ出力の有無を示すようになされている。
【００５４】
この場合、映像音声選択システム１０において、図８に示すようにフラッシュメモリの第一の領域ＡＲ１は、ノードナンバーＮｏｄｅ０にテレビジョン装置１（ＤＴＶ）が予め記憶されている。また第二の領域ＡＲ２は、ノードナンバーＮｏｄｅ１にＤＳＳ−ＩＲＤ２が記憶されている。さらに第三の領域ＡＲ３は、ノードナンバーＮｏｄｅ２にＤ−ＶＨＳ６が記憶されている。さらに第四の領域ＡＲ４は、ノードナンバーＮｏｄｅ３にＤＶＤプレーヤ（ＤＶＤ）３が記憶されている。さらに第五の領域ＡＲ５は、ノードナンバーＮｏｄｅ４にＡＶアンプ（ＡＶ−Ａｍｐ）５が記憶されている。さらに第六の領域ＡＲ６は、ノードナンバーＮｏｄｅ５にＤＶ（ＤＶＣＲ）４が記憶されている。
【００５５】
ここで、例えば映像音声選択システム１０において、制御部７０は、ＩＥＥＥ１３９４を経由して接続された外部機器からＡＶアンプ５及びＤＳＳ−ＩＲＤ２及びＤ−ＶＨＳ６を離脱されると、記憶した各記憶領域を更新する。すなわち、制御部７０は、例えばビデオテープレコーダを第二の領域にノードナンバーＮｏｄｅ１として記憶すると共に、ＤＶＤプレーヤを第三の領域にノードナンバーＮｏｄｅ２として記憶する。
【００５６】
このように第二の領域以降においては、ＩＥＥＥインターフェイスを経由して接続される各外部機器毎にノードナンバーＮｏｄｅを記憶し、各領域に分けるようになされている。
【００５７】
また、各ノードナンバー毎に記憶される領域（ＡＲ１〜ＡＲ６）は、「Reception 」と、「Transmission」と、「Conversion」との領域に細分される。「Reception 」の領域は、各ノードナンバーに記憶された外部機器が入力し得る各データ及び信号を表す項目である。また「Transmission」の領域は、各ノードナンバーに記憶された外部機器が映像符号化データ及び音声符号化データ及び映像信号及び音声信号の中から各外部機器へ出力し得る各データ及び信号を表す項目である。さらに「Conversion」の領域は、入力及び出力をリアルタイムに変換し得る項目である。
【００５８】
そして制御部７０は、細分されている各領域（「Reception 」、「Transmission」、「Conversion」）において、外部機器に対応する各データ及び信号がある場合は、所定のフォーマットをもって記述する。「Reception 」と「Transmission」との項目に示されるフォーマットにおいては、例えば「MPEG-TS:ATSC-HD/SD+AC3」のように表され、「：」の左側にはオーディオ又はビデオレコーダの多重化プロトコル方式あるいはＡ＆Ｍ等の転送プロトコルを示し、「：」の右側には、エレメンタリーストリームの信号形式の種類を記述するようになされている。
【００５９】
さらに、「Conversion」の項目に示されるフォーマットにおいては、例えば「MPEG-TS:MPEG2-SD+AC3→AnalogVideo(+30)+AnalogAudio(+30) 」のような信号形式が記述されている。この信号形式においては、「MPEG-2のSD」と「AC3 」からなる「MPEG-TS 」ディジタルデータを３０m/sec の処理時間でそれぞれアナログ映像信号及びアナログ音声信号へリアルタイムに変換し得ることを示している。
【００６０】
また、能力情報Ｄ５において、同じ行に複数の信号形式が記述される場合、その行に記述されるノードナンバーに該当する装置は、同時に入力又は出力変換処理し得ることを表している。さらに、カンマ「，」においては、信号形式の区切りを示しており、信号形式を示す記述の末尾にカンマが具備されている際は、次の行も同じ行として扱い得ることを表している。因みに別の行に記述されている信号形式において、その行に記述されるノードナンバーに該当する装置は、同時に入力又は出力変換処理し得ないことを表している。
【００６１】
ここで、図１に接続される能力情報Ｄ５においては、ノードナンバーＮｏｄｅ０であるＤＴＶ（テレビジョン装置１）は、「Reception 」が「MPEG-TS:ATSC-HD/SD+AC3」及び「MPEG-TS:MPEG2-HD/SD+AC3/MPEG1 Audio 」及び「DSS-TS:DSS-HD+AC3 」及び「AnalogVideo,AnalogAudio 」の４種類の信号形式で入力し得る。
【００６２】
ノードナンバーＮｏｄｅ１として記憶されたＤＳＳ−ＩＲＤ（ＤＳＳ−ＩＲＤ２）は、「Transmission」が「DSS-TS:DSS-HD+AC3 」及び「DSS-TS:DSS-SD+MPEG1 Audio,AnalogVideo,AnalogAudio 」のどちらかの信号形式で出力し得る。さらに、ＤＳＳ−ＩＲＤは、「Conversion」が「DSS-TS:DSS-SD+MPEG1 Audio →AnalogVideo(+30)+AnalogAudio(+30) 」及び「MPEG-TS:MPEG2-SD+AC3→AnalogVideo(+30)+AnalogAudio(+30) 」のいづれかの信号形式で変換し得る。
【００６３】
ノードナンバーＮｏｄｅ２として記憶されたＤ−ＶＨＳ（Ｄ−ＶＨＳ６）は、「Reception 」が「MPEG-TS:AnyVideo+AnyAudio 」及び「DSS-TS:AnyVideo+AnyAudio」及び「Analog」のいづれかの信号形式で入力し得る。さらに、Ｄ−ＶＨＳは、「Transmission」が「MPEG-TS:AnyVideo+AnyAudio 」及び「DSS-TS:AnyVideo+AnyAudio」及び「Analog」のいづれかの信号形式で出力し得る。
【００６４】
ノードナンバーＮｏｄｅ３として記憶されたＤＶＤ（ＤＶＤプレーヤ３）は、「Transmission」が「MPEG-TS:MPEG2-SD+AC3,A&M:AC3,AnalogVideo,AnalogAudio」の信号形式で出力し得る。
【００６５】
ノードナンバーＮｏｄｅ４として記憶されたＡＶ−Ａｍｐ（ＡＶアンプ５）は、「Conversion」が「DV:DV-SD+Linear →MPEG-TS:MPEG2-SD(300)+MPEG1 Audio(300),DV:DV-SD+Linear→AnalogVideo+AnalogAudio 」及び「MPEG-TS:MPEG2-SD+AC3→AnalogVideo(+30)+AnalogAudio(+0)」及び「MPEG-TS:MPEG2-SD→AnalogVideo(+0),A&M:AC3 →AnalogAudio(+0) 」のいづれかの信号形式で変換し得る。
【００６６】
ノードナンバーＮｏｄｅ５として記憶されたＤＶＣＲ（ＤＶ４）は、「Reception 」が「DV:DV-SD+Linear,AnalogVideo,AnalogAudio 」の信号形式で入力し得る。さらに、ＤＶＣＲは、「Transmission」が「DV:DV-SD+Linear,AnalogVideo,AnalogAudio 」の信号形式で出力し得る。
【００６７】
かかる能力情報Ｄ５の能力情報作成処理がなされた後、リモートコマンダ８のキー操作を介してテレビジョン装置１の電源を入れるための操作信号Ｓ３をＩｒＤＡ受信部７７が受けると、制御部７０のＣＰＵはＲＯＭ及びフラッシュメモリに格納されているプログラムを読み出し、これをＲＡＭ上に展開して実行することにより、テレビジョン装置１の各回路部を制御して種々の処理を実行するようになされている。
【００６８】
この場合、制御部７０は、フラッシュメモリに格納される能力情報Ｄ５に基づいて図９に示すようなソース機器選択メニューを表示部７８に表示する。これにより制御部７０は、ユーザに対して操作を希望する外部機器を選択するように促す。
【００６９】
この選択に対してリモートコマンダ８を介して「３」のキーを押圧されたことにより得られる操作信号Ｓ３をＩｒＤＡ受信部７７が受けると、制御部７０は、ソース機器選択メニュー（図９）で入力される情報に応じて制御手段として動作し、制御信号Ｄ４を生成し、これを外部機器に出力する。これにより制御部７０は、ソース機器選択メニュー（図９）で入力された情報に応じた映像音声情報（映像音声信号又は映像音声符号化データ）を表示部７８に表示し得るように入力経路を確保する。
【００７０】
因みに、テレビジョン装置と当該テレビジョン装置に接続された外部機器とがアナログ及びディジタル接続されている場合、ユーザは、リモートコマンダ８に設けられるアナログディジタル選択キーを必要に応じて押圧することにより、常時切り換え設定し得るようにもなされている。
【００７１】
この場合、リモートコマンダ８を介してアナログディジタル選択キーを押圧されたことにより得られる操作信号Ｓ３をＩｒＤＡ受信部７７が受けると、制御部７０は、図１０に示すようなアナログディジタル選択メニューを表示部７８に表示する。ここで、アナログディジタル選択メニューにおいては、ユーザによって最後に設定された番号になされており、当該最後に設定された番号に対して反転等の識別処理が施されている。これにより制御部７０は、ユーザに対してアナログ（映像音声信号）出力及びディジタル（映像音声符号化データ）出力のどちらを希望するかを選択するように促す。
【００７２】
そしてこの選択に対してリモートコマンダ８を介して「１」又は「２」のキーを押圧されたことにより得られる操作信号Ｓ３をＩｒＤＡ受信部７７が受けると、制御部７０は、アナログディジタル選択メニュー（図１０）で入力された番号に応じて切り換え部７６をディジタル出力又はアナログ出力に切り換える。
【００７３】
ここで、ユーザはリモートコマンダ８のキー操作を介してテレビジョン装置１の表示部７８に各外部機器対応のコントロールパネルを表示し、当該表示したコントロールパネルに対して入力操作する。これにより制御部７０は、再生操作や音量調節等のユーザの入力操作に応じた制御信号Ｄ４を出力するようになされている。
【００７４】
この場合、リモートコマンダ８に設けられたコントロール選択キーを押圧することにより得られる操作信号Ｓ３をＩｒＤＡ受信部７７が受けると、制御部７０は、フラッシュメモリに格納される能力情報Ｄ５に基づいて図１１に示すようなコントロール機器選択メニューを表示部７８に表示する。これにより制御部７０は、ユーザに対して操作を希望する外部機器を選択するように促す。
この選択に対してリモートコマンダ８を介して「２」のキーを押圧されたことにより得られる操作信号Ｓ３をＩｒＤＡ受信部７７が受けると、制御部７０は、ＤＶＤプレーヤのリモートコマンダに対応したコントロールパネル（図示せず）を表示部７８に表示する。
【００７５】
そして、このコントロールパネルに対してリモートコマンダ８からキー操作を介して例えば再生キーを押圧されたことにより得られる操作信号Ｓ３をＩｒＤＡ受信部７７が受けると、制御部７０は、再生操作を実行させる制御信号Ｄ４を読み出し、これをＩＥＥＥ１３９４インターフェイス７３を介してＤＶＤプレーヤ３に出力する。これにより、ＤＶＤプレーヤ３は、アナログディジタル選択メニュー（図１０）で入力した情報に応じて再生処理を実行する。
【００７６】
実際上、制御部７０は、アナログインターフェイス７１を介してＤＶＤプレーヤ３から供給される映像音声信号Ｓ２０を受信した場合、これを切り換え部７６に出力する。切り換え部７６は、映像音声信号Ｓ２０を分配することにより、映像信号Ｓ２０ａを表示部７８に出力すると共に、音声信号Ｓ２０ｂをスピーカ７９に出力する。
【００７７】
表示部７８は、切り換え部７６から供給された映像信号Ｓ２０ａに基づいて得た映像を表示すると共に、スピーカ７９は、切り換え部７６から供給された音声信号Ｓ２０ｂに基づいて得た音声を出力する。
【００７８】
一方、制御部７０は、ＩＥＥＥ１３９４インターフェイス７３を介してＤＶＤプレーヤ３から供給される映像音声符号化データＤ２０を受信した場合、これをデマルチプレクサ７４に出力する。デマルチプレクサ７４は、映像音声符号化データＤ２０を分配することにより、映像符号化データＤ２２並びに音声符号化データＤ２３を生成し、これらをデコーダ７５に出力する。
【００７９】
デコーダ７５は、デマルチプレクサ７４から供給された映像符号化データＤ２２並びに音声符号化データＤ２３をアナログ信号に変換する所定の変換処理を施すことにより、映像信号Ｓ２０ａ及び音声信号Ｓ２０ｂを生成し、これらを切り換え部７６に出力する。切り換え部７６は、デコーダ７５から供給された映像信号Ｓ２０ａを表示部７８出力すると共に、音声信号Ｓ２０ｂをスピーカ７９に出力する。表示部７８は、切り換え部７６から供給された映像信号Ｓ２０ａに基づいて得た映像を表示すると共に、スピーカ７９は、音声信号Ｓ２０ｂに基づいて得た音声を出力する。
【００８０】
ここで、ユーザは、ＡＶアンプ５に内蔵される５．１チャンネルからなる臨場感あふれるスピーカからの音声に切り換えることができる。この場合、リモートコマンダ８に設けられたコントロール選択キーを押圧することにより得られる操作信号Ｓ３をＩｒＤＡ受信部７７が受けると、制御部７０は、図１１に示すようなコントロール機器選択メニューを表示部７８に表示する。このときユーザは、ＡＶ−ＡＭＰに該当する「４」の番号をリモートコマンダ８を介して入力し、続いて表示される選択画面（図示せず）からＡＶアンプ５のオーディオストリームのソース機器としてＤＶＤがＡ＆Ｍで出力している信号形式を選択する。
【００８１】
このように、ユーザがリモートコマンダ８を介したキー操作をすると、制御部７０は、能力情報Ｄ５に基づいて制御信号Ｄ４を生成し、これを出力して各外部機器を制御することにより、ＩＥＥＥ１３９４インターフェイスを経由して接続されている各外部機器の中からソース機器としての外部機器を選択をしながら、当該ソース機器としての外部機器とは別に他の外部機器を制御することができる。また制御部７０は、テレビジョン装置１と外部機器間でディジタルデータ及びアナログ信号を出力し得る場合はその旨を知らせる選択メニュー（図１０）を表示して選択を促す。これにより、ユーザはリモートコマンダ８を介したキー操作をするだけで、外部機器のディジタルデータ及びアナログ信号の経路を選択することができる。
【００８２】
また、ユーザからのリモートコマンダ８を介したキー操作により、制御部７０は、能力情報Ｄ５に基づいて映像信号の経路及び音声信号の経路を別々に経路選択することができる。
【００８３】
この場合、テレビジョン装置１は、ユーザの指示に応じて当該ユーザが指定した特定の外部機器から出力される映像音声符号化データをテレビジョン装置ではなく、他の外部機器のデコーダに出力する経路選択をし得るようになされている。
【００８４】
すなわち、ソース機器としてＤＶＤプレーヤ３を選択している際、ユーザは、リモートコマンダ８に設けられた経路選択メニューキーを押圧する。これにより得られる操作信号Ｓ３をＩｒＤＡ受信部７７が受けると、制御部７０は、始めの操作として、フラッシュメモリから能力情報Ｄ５（図８）に基づいて図１２（Ａ）のようなＤＶＤプレーヤ３からテレビジョン装置１にディジタルデータ及びアナログ信号を出力し得る映像信号経路を示す経路選択メニューを表示部７８に表示する。
【００８５】
この選択に対してリモートコマンダ８を介して「３」のキーを押圧されたことにより得られる操作信号Ｓ３をＩｒＤＡ受信部７７が受けると、制御部７０は、次の操作として、フラッシュメモリから能力情報Ｄ５（図８）に基づいて図１２（Ｂ）のようなＤＶＤプレーヤ３からテレビジョン装置１にディジタルデータ及びアナログ信号を出力し得る音声信号経路を示す経路選択メニューを表示部７８に表示する。
【００８６】
この選択に対してリモートコマンダ８を介して「４」のキーを押圧されたことにより得られる操作信号Ｓ３をＩｒＤＡ受信部７７が受けると、制御部７０は、経路選択メニュー（図１０）で入力された情報に応じて制御信号Ｄ４を生成し、これを各外部機器に出力することにより、各外部機器を制御する。これによりＤＶＤプレーヤ３は、映像音声符号化データをＡＶアンプ５に出力する。ＡＶアンプ５（図６）は、ＤＶＤプレーヤ３から供給された映像音声符号化データから得た映像信号及び音声信号のうち、映像信号をテレビジョン装置１に出力する。
【００８７】
また音声信号においては、再び符号化する所定の符号化処理を施し、これをＤＳＳ−ＩＲＤ２に出力する。ＤＳＳ−ＩＲＤ２（図３）は、ＡＶアンプ５から供給された音声信号を所定の変換処理を施すことにより得た音声信号をテレビジョン装置１に出力する。テレビジョン装置１は、ＡＶアンプ５から供給された映像信号に基づいて得た映像を表示部７８に表示すると共に、ＤＳＳ−ＩＲＤ２から供給された音声信号に基づいて得た音声をスピーカ７９より出力する。
【００８８】
またここで、別例において、例えばソース機器としてＤＶ４を選択している際、ユーザが経路選択メニューキーを押圧する。これによって得られる操作信号Ｓ３をＩｒＤＡ受信部７７が受けると、制御部７０は、フラッシュメモリから能力情報Ｄ５（図８）に基づいて図１３（Ａ）のようなＤＶ４からテレビジョン装置１にディジタルデータ及びアナログ信号を出力し得る映像信号経路を示す経路選択メニューを表示部７８に表示する。
【００８９】
この選択に対してリモートコマンダ８を介して「３」のキーを押圧されたことにより得られる操作信号Ｓ３をＩｒＤＡ受信部７７が受けると、制御部７０は、次の操作として、フラッシュメモリから能力情報Ｄ５（図８）に基づいて図１３（Ｂ）のようなＤＶ４からテレビジョン装置１にディジタルデータ及びアナログ信号を出力し得る音声信号経路を示す経路選択メニューを表示部７８に表示する。
【００９０】
この場合、音声信号経路は、経路選択メニュー（図１３（Ｂ））に表示された一つの選択肢「DV-(Linear) →AV-AMP-(MPEG1 Audio)→DTV 」以外にも例えば「DV-(analog) →DTV 」や「DV-(Linear) →AV-AMP-(analog) →speaker 」等の選択肢が存在する。しかし、制御部７０は、「DV-(analog) →DTV 」や「DV-(Linear) →AV-AMP-(analog) →speaker 」等の音声信号経路における変換時間と、映像信号経路における「DV→MPEG」の変換時間とに３００msecのディレイが発生することを能力情報Ｄ５に基づいて判断する。このため制御部７０は、選択された映像信号経路における「DV→MPEG」の変換時間と同期する「DV-(Linear) →AV-AMP-(MPEG1 Audio)→DTV 」のみを選択することにより、これを表示部７８に表示する。
【００９１】
この選択に対してリモートコマンダ８を介して「１」のキーを押圧されたことにより得られる操作信号Ｓ３をＩｒＤＡ受信部７７が受けると、制御部７０は、経路選択メニュー（図１３）で入力された情報に応じて制御信号Ｄ４を生成し、これを各外部機器に出力することにより、各外部機器を制御する。これによりＤＶ４は、映像音声符号化データをＡＶアンプ５に出力する。ＡＶアンプ５（図６）は、ＤＶ４から供給された映像音声符号化データより得た映像信号及び音声信号をテレビジョン装置１に出力する。テレビジョン装置１は、ＡＶアンプ５から供給された映像信号に基づいて得た映像を表示部７８に表示すると共に、音声信号に基づいて得た音声をスピーカ７９より出力する。
【００９２】
このように、ユーザがリモートコマンダ８を介したキー操作をすると、制御部７０は、能力情報Ｄ５に基づいて経路選択メニュー（図１２、図１３）を表示して選択を促す。これに対してユーザがリモートコマンダ８を介して入力操作をすると、制御部７０は、リモートコマンダ８のキー操作に応じた制御信号Ｄ４を生成し、これを出力して各外部機器を制御することにより、外部機器別に同期し得る映像情報（映像符号化データ又は映像信号）と、音声情報（音声符号化データ又は音声信号）とを経路選択をすることができる。これによりユーザは、複数ある経路の中から当該ユーザが希望する別々の外部機器で同期し得る映像情報と、音声情報とを知ることができる。
【００９３】
さらにここで、テレビジョン装置１は、ユーザの指示に応じて外部機器が出力する信号形式に対して当該テレビジョン装置１が識別し得る信号形式毎にどの外部機器のデコーダを使用するかの信号形式毎の経路選択を入力設定し得るようになされている。
【００９４】
この場合、ユーザはリモートコマンダ８に設けられた信号形式別選択メニューキーを押圧する。これにより得られる操作信号Ｓ３をＩｒＤＡ受信部７７が受けると、制御部７０は、フラッシュメモリから能力情報Ｄ５（図８）に基づいて図１４（Ａ）に示すような信号形式別経路選択メニューを表示部７８に表示する。
【００９５】
この選択に対してリモートコマンダ８を介して「２」のキーを押圧されたことにより得られる操作信号Ｓ３をＩｒＤＡ受信部７７が受けると、制御部７０は、フラッシュメモリから能力情報Ｄ５（図８）に基づいて図１４（Ｂ）に示すような信号形式別経路選択メニューを表示部７８に表示する。
【００９６】
この選択に対してリモートコマンダ８を介して「１」のキーを押圧されたことにより得られる操作信号Ｓ３をＩｒＤＡ受信部７７が受けると、制御部７０は、信号形式別経路選択メニュー（図１４）を入力設定をした以降は、テレビジョン装置１に入力される映像音声符号化データＤ１に対して信号形式切り換え処理手順を実行するようになされている。この場合、制御部７０は、今後ＩＥＥＥ１３９４が受信した映像音声符号化データの映像符号化データがどの信号形式であるか判断する。そして制御部７０は、判断した信号形式が「ＭＰＥＧ」の場合には、信号形式別経路選択メニュー（図１４（Ａ））で選択したＤＳＳ−ＩＲＤ２に入力を切り換える。
【００９７】
また、制御部７０は、今後ＩＥＥＥ１３９４が受信した映像符号化データ又は音声符号化データの信号形式が「ＤＶ」と判断した際には、信号形式別経路選択メニュー（図１４（Ｂ））で選択したＡＶアンプ５に入力を切り換える。
【００９８】
このように、ユーザがリモートコマンダ８を介したキー操作をすると、制御部７０は、能力情報Ｄ５に基づいて信号形式別経路選択メニュー（図１４）を表示して選択を促す。これに対してユーザがリモートコマンダ８を介して入力操作をすると、制御部７０は、リモートコマンダ８のキー操作に応じた制御信号Ｄ４を生成し、これを出力して各外部機器を制御する。これにより、制御部７０は、決定手段として動作し、以後テレビジョン装置１に入力される映像音声符号化データが信号形式別経路選択メニューで入力設定した信号形式の場合は、当該信号形式別経路選択メニューで入力設定した外部機器に入力を切り換える。
【００９９】
これによりユーザは、どのような信号形式の映像音声符号化データＤ１を出力するか分からない外部機器に対しても経路が決定できる。さらに、ユーザは、多数の外部機器がＩＥＥＥ１３９４インターフェイスを経由してテレビジョン装置１に接続されている場合においてもその機器毎に設定するよりも簡易に設定できる。さらにまたユーザは、ＩＥＥＥ１３９４インターフェイスを経由してテレビジョン装置１に接続されている各外部機器の中から最も性能のよいデコーダで復号し、当該テレビジョン装置１に出力し得る経路を選択することができる。
【０１００】
因みに、制御部７０は、信号形式別経路選択（図１４）で指定した外部機器が何らかの理由で使用不可の場合には、その旨メッセージを表示部７８に表示することにより、ユーザに対して通知を促す。
【０１０１】
（４）信号形式切り換え処理手順
次に、テレビジョン装置１において、信号形式別経路選択メニューで入力設定された場合に制御部７０が実行する信号形式切り換え処理手順について、図１５のフローチャートを用いて説明する。
【０１０２】
テレビジョン装置の制御部７０は、ルーチンＲＴ１の開始ステップから入ってステップＳＰ１に移る。ステップＳＰ１において制御部７０は、テレビジョン装置１が選択したソース機器が出力している映像音声符号化データがどの信号形式であるかを識別し、当該識別した信号形式と、信号形式別経路選択メニューで入力設定された信号形式とが一致しているか否かを判断する。ここで否定結果が得られると、このことは信号形式が一致しないことを表しており、このとき制御部７０は、次のステップＳＰ４に移って信号形式切り換え処理手順を終了する。
【０１０３】
これに対して、ステップＳＰ１において肯定結果が得られると、このことは信号形式が一致することを表しており、このとき制御部７０は、次のステップＳＰ２に移る。
【０１０４】
ステップＳＰ２において制御部７０は、信号形式別経路選択メニューで入力設定された外部機器がその映像音声符号化データをデコードし得るか否かを検出する。ここで肯定結果が得られると、このことは外部機器が映像音声符号化データをデコードし得ることを表しており、このとき制御部７０は、次のステップＳＰ３に移る。
【０１０５】
ステップＳＰ３において制御部７０は、信号形式別経路選択メニューで入力設定された外部機器に入力を切り換えることにより、映像音声符号化データをその外部機器にデコードさせ、その結果をアナログ入力し、表示する。そして次のステップＳＰ４に移って信号形式切り換え処理手順を終了する。
【０１０６】
これに対して、ステップＳＰ２において否定結果が得られると、このことは外部機器が何らかの理由で使用不可であることを表しており、このとき制御部７０は、次のステップＳＰ５に移る。
【０１０７】
ステップＳＰ５において制御部７０は、外部機器が何らかの理由で使用不可であることを知らせるメッセージを表示部７８に表示することにより、ユーザに対して通知を促し、次のステップＳＰ４に移って信号形式切り換え処理手順を終了する。
【０１０８】
（５）動作及び効果
以上の構成において、ユーザがテレビジョン装置１の電源を入れると、制御部７０は、テレビジョン装置１はソース機器選択メニュー（図９）を表示部７８に表示することにより、ユーザに対して入力するように促す。これに対してユーザが希望する入力設定をすると、制御部７０は、能力情報Ｄ５に基づいて制御信号Ｄ４を生成し、これを出力して各外部機器を制御することにより、ＩＥＥＥ１３９４インターフェイスを経由して接続されている各外部機器の中から特定の外部機器を選択する。
【０１０９】
また制御部７０は、テレビジョン装置１と外部機器間でディジタルデータ及びアナログ信号を出力し得る場合はその旨を知らせるアナログディジタル選択メニュー（図１０）を表示して入力を促す。これに対してユーザが希望する入力設定をすると、制御部７０は、能力情報Ｄ５に基づいて制御信号Ｄ４を生成し、これを出力して各外部機器を制御することにより、選択メニューで入力設定した出力経路に切り換える。
【０１１０】
また制御部７０は、ディジタルケーブルを経由して接続された各外部機器に対応したリモートコマンダに対応するコントロールパネルを表示部７８に表示することにより、各外部機器の操作を制御する。従って、ユーザはテレビジョン装置１のリモートコマンダ８を所持するだけで、各外部機器を制御し得る状態となる。
【０１１１】
さらに、ユーザは、必要に応じて各外部機器若しくは信号形式毎に入力経路を設定することができる。この場合、ユーザがリモートコマンダ８を介した経路選択メニューキーを押圧すると、制御部７０は、能力情報Ｄ５に基づいて経路選択メニュー（図１２、図１３）を表示して入力を促す。これに対してユーザがリモートコマンダ８を介して入力操作をすると、制御部７０は、リモートコマンダ８のキー操作に応じた制御信号Ｄ４を生成し、これを出力して各外部機器を制御することにより、同期し得る映像情報（映像符号化データ又は映像信号）と、音声情報（音声符号化データ又は音声信号）とを外部機器別に経路選択する。
【０１１２】
また、ユーザがリモートコマンダ８を介した信号形式別選択メニューキーを押圧すると、制御部７０は、能力情報Ｄ５に基づいて信号形式別経路選択メニュー（図１４）を表示して入力を促す。これに対してユーザがリモートコマンダ８を介して入力操作をする。信号形式別経路選択メニューを入力設定をした以降は、テレビジョン装置１に入力される映像音声符号化データＤ１に対して信号形式切り換え処理手順を実行する。
【０１１３】
この場合制御部７０は、今後ＩＥＥＥ１３９４が受信した映像音声符号化データの映像符号化データがどの信号形式であるか識別し、識別した信号形式と信号形式別経路選択メニューで入力設定した信号形式とが一致するか判断する。そして制御部７０は、信号形式が一致すると判断した場合には、信号形式別経路選択メニューで選択した外部機器に出力経路を切り換える。
【０１１４】
以上の構成によれば、機器選択装置としてのテレビジョン装置１を設置したことにより、制御部７０は作成した能力情報Ｄ５に基づいてＩＥＥＥ１３９４を経由して接続された各外部機器からテレビジョン装置１に映像情報と音声情報とが同期して出力し得る全ての経路をユーザに対して表示部７８に表示し、入力設定を促すことができる。
【０１１５】
これにより、制御部７０はＩＥＥＥ１３９４インターフェイスを経由して接続されている各外部機器の中からソース機器としての外部機器を選択をしながら、当該ソース機器としての外部機器とは別に他の外部機器を制御することができる。
【０１１６】
また制御部７０は、能力情報Ｄ５に基づいて必要に応じて外部機器又は信号形式毎に出力する経路選択を促すことができる。これにより、制御部７０は、ＩＥＥＥ１３９４インターフェイスを経由してテレビジョン装置１に接続されている各外部機器の中から最も性能のよいデコーダで復号し、当該テレビジョン装置１に出力し得る経路を選択することができる。かくして、ユーザはよりよい画質で映像を目視することができると共に、よりよい音質で音声を聞くことができる。
【０１１７】
（６）他の実施例
なお上述の実施の形態においては、信号形式別経路選択において、信号形式別経路選択メニューの選択肢に各外部機器名を表示する場合について述べたが、本発明はこれに限らず、図１６に示すようなアナログ入力ライン番号を表示するようにしても良い。これにより、テレビジョン装置１は、当該テレビジョン装置１が知り得ない信号形式が増えた場合においても対応し得る。
【０１１８】
この場合、例えばＭＰＥＧの信号形式で符号化された映像符号化データＤ２を外部機器のデコーダを使用して復号を希望する場合、ユーザによるリモートコマンダ８に設けられた信号形式別経路選択メニューキーを押圧することによって得られる操作信号Ｓ３をＩｒＤＡ受信部７７が受けると、制御部７０は、予めフラッシュメモリに登録されているアナログ入力ラインに基づいて図１６（Ａ）のような信号形式別経路選択メニューを表示部７８に表示する。この選択に対してリモートコマンダ８を介して「３」のキーを押圧されたことにより得られる操作信号Ｓ３をＩｒＤＡ受信部７７が受けると、制御部７０は、図１６（Ｂ）に示すような信号形式別選択メニューを表示部７８に表示する。この選択に対してリモートコマンダ８を介して例えば「３」のキーを押圧されたことにより得られる操作信号Ｓ３をＩｒＤＡ受信部７７が受けると、制御部７０は、リモートコマンダ８のキー操作に応じた制御信号Ｄ４を生成し、これを出力して各外部機器を制御する。これにより、制御部７０は、以後テレビジョン装置１に入力される映像音声符号化データが信号形式別経路選択メニューで入力設定した入力ラインを制御する。
【０１１９】
また上述の実施の形態においては、機器選択装置としてのテレビジョン装置にＩＥＥＥ１３９４を経由して各外部機器を接続するように述べたが、本発明はこれに限らず、例えばデスクトップ型パーソナルコンピュータ等、ＩＥＥＥ１３９４を経由して接続される各外部機器を能力情報に基づいて制御し得る制御部及び表示手段及びＩＥＥＥ１３９４インターフェイスを有する装置であれば良い。
【０１２０】
さらに上述の実施の形態においては、制御部７０が識別手段及び管理手段としての能力情報Ｄ５に基づいて種々の処理を実行する場合について述べたが、本発明はこれに限らず、ユーザがリモートコマンダを介して識別手段及び管理手段を入力設定するようにしても良い。
【０１２１】
【発明の効果】
上述のように本発明によれば、接続対象とされる複数の機器のうち、映像出力機器でのディジタルからアナログへの変換に要する処理時間と、音声出力機器でのディジタルからアナログへの変換に要する処理時間とを検出し、対象とすべき映像出力機器又は音声出力機器の一方が選択され、他方の音声出力機器又は映像出力機器を選択させる場合、当該検出結果に基づいて、選択された一方の機器との同期出力が可能となる機器を選択候補として提示する。これにより、ユーザに対して、映像出力機器と音声出力機器とを個別に同期出力可能な状態で選択させることができる。
【図面の簡単な説明】
【図１】本発明による映像音声選択システムを示すブロック図である。
【図２】ディジタルビデオテープレコーダの構成を示すブロック図である。
【図３】ＤＳＳ−ＩＲＤの構成を示すブロック図である。
【図４】ＤＶＤプレーヤの構成を示すブロック図である。
【図５】ディジタルビデオカメラレコーダの構成を示すブロック図である。
【図６】ＡＶアンプの構成を示すブロック図である。
【図７】テレビジョン装置の構成を示すブロック図である。
【図８】フラッシュメモリのメモリマップを示す略線図である。
【図９】ソース機器選択メニュー画面表示例を示す略線図である。
【図１０】アナログディジタル選択メニュー画面表示例を示す略線図である。
【図１１】コントロール機器選択メニュー画面表示例を示す略線図である。
【図１２】経路選択メニュー画面表示例を示す略線図である。
【図１３】別例における経路選択メニュー画面表示例を示す略線図である。
【図１４】信号形式別経路選択メニュー画面表示例を示す略線図である。
【図１５】  信号切り換え処理手順を示すフローチャートである。
【図１６】別例における信号形式別経路選択メニュー画面表示例を示す略線図である。
【符号の説明】
１……ディジタルテレビジョン装置、２……ＤＳＳ−ＩＲＤ、３……ＤＶＤプレーヤ、４……ディジタルビデオカメラレコーダ、５……ＡＶアンプ、６……ディジタルビデオテープレコーダ、８……リモートコマンダ、２２、３１、４６、５１、６０、７３……ＩＥＥＥ１３９４インターフェイス、２６、３５、４７、５６、７１……アナログインターフェイス、２０、３０、４０、５０、７０……制御部、７６……切り換え部、７８……表示部。
【図１】
0004200410.tif 000002
【図２】
0004200410.tif 000003
【図３】
0004200410.tif 000004
【図４】
0004200410.tif 000005
【図５】
0004200410.tif 000006
【図６】
0004200410.tif 000007
【図７】
0004200410.tif 000008
【図８】
0004200410.tif 000009
【図９】
0004200410.tif 000010
【図１０】
0004200410.tif 000011
【図１１】
0004200410.tif 000012
【図１２】
0004200410.tif 000013
【図１３】
0004200410.tif 000014
【図１４】
0004200410.tif 000015
【図１５】
0004200410.tif 000016
【図１６】
0004200410.tif 000017